(57)【要約】【課題】  赤外線光が発光手段の前方を塞ぐ透明板を通過する際の反射による影響を排除し、より鮮明な画像が得られる赤外線発光手段内臓カメラを提供すること。【解決手段】カメラユニット１のレンズ筒１０の周囲に撮像領域へ赤外線光を投光する発光手段２を備え、カメラユニット１と前記発光手段２をケース３内に収容し、前記レンズ筒１０の先端部分と前記発光手段２との間で赤外線を遮蔽する遮蔽筒４を設置し、前記ケースの内周部と遮蔽筒４の外周部に接するように前記発光手段２の前面を塞ぐ透明板３０を設置したことを主要な特徴とする。遮蔽筒４を設置せず、前記発光手段２の前面を塞ぐ透明板３０をケース３の内周部とレンズ筒１０の外周部に接するように設置することができる。【選択図】      図１
0003103990.tif 000002
【実用新案登録請求の範囲】
【請求項１】
カメラユニット（１）のレンズ筒（１０）の周囲に撮像領域へ赤外線光を発光する発光手段（２）を備え、カメラユニット（１）と前記発光手段（２）をケース（３）内に収容し、前記レンズ筒（１０）と前記発光手段（２）との間で赤外線を遮蔽する遮蔽筒（４）を設置し、前記ケース（３）の内周部と遮蔽筒（４）の外周部に接するように前記発光手段（２）の前方を塞ぐ透明板（３０）を設置したことを特徴とする、赤外線発光手段内臓カメラ。
【請求項２】
前記遮蔽筒（４）にはレンズ筒（１０）の前方を塞ぐ透明板（３１）を設置した、請求項１に記載の赤外線発光手段内臓カメラ。
【請求項３】
カメラユニット（１）のレンズ筒（１０）の周囲に撮像領域へ赤外線光を投光する発光手段（２）を備え、カメラユニット（１）と前記発光手段（２）をケース（３）内に収容し、前記ケース（３）の内周部とレンズ筒（１０）の先端部外周部に接するように前記発光手段（２）の前方を塞ぐ透明板（３０）を設置したことを特徴とする、赤外線発光手段内臓カメラ。
【請求項４】
前記レンズ筒（１０）の近傍に設置された赤外線遮蔽筒（５０）内に撮像領域からの可視光量を検出する可視光センサ（５）を備え、当該可視光センサ（５）の前面側に赤外線カットフィルタ（５１）を備えた、請求項１〜３のいずれかに記載の赤外線発光手段内臓カメラ。
【考案の詳細な説明】
【技術分野】
【０００１】
本考案は被写体に対して赤外線光を投光する赤外線発光手段を内臓したカメラに関するものであり、さらに詳しくは、カメラユニットと赤外線発光手段をケース内に収容した一体型のカメラに関するものである。
【背景技術】
【０００２】
カメラユニットのレンズ筒の周囲に赤外線ＬＥＤ等の赤外線光の発光手段を設置し、カメラユニットと発光手段とを、前面部にガラス等の透明板を有するケース内に収容した一体型のカメラは、監視用その他の広い用途で使用されている。
【０００３】
従来のこの種のカメラを図４及び図５を参照しながら説明する。
図４は部分縦断面図であり、図５は前面の透明板を取り除いた正面図である。
１は中央に配置されたカメラ（ビデオカメラ）ユニットであり、カメラユニット１の先端部には図示しないレンズ類が内臓されたレンズ筒１０を備え、カメラユニット１の基部内には撮像素子その他の必要な部品が内臓されている。レンズ筒１０の周囲には基板２０に取り付けられた多数の赤外線ＬＥＤからなる赤外線光の発光手段２が設置され、発光手段２から前方の撮像領域へ赤外線光が投光されるように構成されている。カメラユニット１と前記発光手段２はケース内３に収容され、このケース３にはレンズ筒１０と発光手段２の前方を塞ぐようにガラス板等の透明板３２が密に取り付けられ、ケース３内は防水ないし防湿構造になっている。
前記基板２０の内周部寄り位置には、レンズ筒１０の先端部分と前記発光手段２との間で赤外線を遮蔽するように遮蔽筒（例えばゴム）４が設置され、当該遮蔽筒４の先端部は前記透明板３２の内面に密接している。
また、前記基板２０には、前記レンズ筒１０の近傍に位置するように赤外線遮蔽筒５０が撮像領域に向けて設置され、当該赤外線遮蔽筒５０内には被写体から反射する可視光量を検出する可視光センサ５（例えばＣＤＳセル：硫化カドミウムを主成分とする光電導素子で、照射される光量が多くなると抵抗値が下がる作用により可視光量を検出する。）が設置されている。
３３はケースの基部と先端部分とをねじ合わせ連結する連結リングであり、６は電源・信号用のケーブルである。
【０００４】
前記カメラにおいて、可視光センサ５が検出する可視光量が所定値以下になると発光手段２により前方の撮像領域に赤外線光が投光され、赤外線光により撮像される。他方、可視光センサ５が検出する可視光量が所定値以上になると発光手段２が発光を停止し、可視光により撮像される。
被写体象光は、カメラユニット１内の図示されていない撮影レンズを通じて撮像素子へ入射結像し、当該撮像素子により光電変換された信号は、さらに信号処理されて図示されていない記録媒体に記録されるほか、ビデオ信号に変換され図示されていないビデオモニタに映像として出力される。
【０００５】
前記のように構成された従来のカメラによれば、発光手段２により撮像領域へ投光される透過力の大きい赤外線光は、透明板３２を通過する赤外線の波動の一部が遮蔽筒４の先端部近傍のガラス界面でレンズ筒１０の前面方向（内部方向）に屈折反射し、この反射する赤外線光が被写体から反射する赤外線光と干渉するため、投光性能が著しく低下して鮮明な映像が得られないという問題があった。
また、可視光センサ５（ＣＤＳセル）は、被写体から反射する可視光量を検出するものであるが、赤外線光の反射による被写体の照度に対しても反応することがあるため、夜間において赤外線光により誤作動（発光手段２の発光停止）することがあった。
【特許文献１】特開２００２−７７６９４号
【考案の開示】
【考案が解決しようとする課題】
【０００６】
本考案が解決しようとする課題は、赤外線光が透明板を通過する際の反射による影響の排除、及び可視光センサの誤作動の排除にある。したがって、本考案の第１の目的は、より鮮明な画像が得られる赤外線発光手段内臓カメラを提供することにあり、第２の目的は可視光センサが赤外線光により誤作動することのない赤外線発光手段内臓カメラを提供することにある。
【課題を解決するための手段】
【０００７】
本考案に係る第１の赤外線発光手段内臓カメラは、前記課題を解決するため、カメラユニット１のレンズ筒１０の周囲に撮像領域へ赤外線光を投光する発光手段２を備え、カメラユニット１と前記発光手段２をケース３内に収容し、前記レンズ筒１０の先端部分と前記発光手段２との間で赤外線を遮蔽する遮蔽筒４を設置し、前記ケースの内周部と遮蔽筒４の外周部に接するように前記発光手段２の前面を塞ぐ透明板３０を設置したこと主要な特徴とするものである。
前記遮蔽筒４内にはレンズ筒１０の前方を塞ぐように他の透明板３１を設置するのが好ましい。
【０００８】
本考案に係る第２の赤外線発光手段内臓カメラは、前記課題を解決するため、カメラユニット１のレンズ筒１０の周囲に撮像領域へ赤外線光を投光する発光手段２を備え、カメラユニット１と前記発光手段２をケース３内に収容し、前記ケース３の内周部とレンズ筒１０の外周部に接するように前記発光手段２の前方を塞ぐ透明板３０を設置したことを主要な特徴とするものである。
【０００９】
前記第１及び第２の赤外線発光手段内臓カメラにおいて、前記レンズ筒１０の近傍には撮像領域に向けて赤外線遮蔽筒５０を設置し、当該赤外線遮蔽筒５０内に撮像領域からの可視光量を検出する可視光センサ５を取り付け、当該可視光センサ５の前面側に赤外線カットフィルタ５１を設置するのが好ましい。
【考案の効果】
【００１０】
本考案に係る第１の赤外線発光手段内臓カメラによれば、発光手段２の前面を塞ぐ透明板３０は、ケース３の内周部と遮蔽筒４の外周部へ接触する状態に設置されているので、発光手段２から撮像領域に向けて投光される赤外線光は、その一部が透明板３０の界面でレンズ筒１０の前面方向に反射しても遮蔽筒４の先端部分により遮蔽される。このように透明板３０の界面で反射する反射赤外線光の影響が排除されるので、全体として投光性能が向上しより鮮明な映像を得ることができる。
【００１１】
本考案に係る第２の赤外線発光手段内臓カメラによれば、発光手段２の前面を塞ぐ透明板３０は、ケース３の内周部とレンズ筒１０の外周部へ接触する状態に設置されているので、発光手段２から撮像領域に向けて投光される赤外線光は、その一部が透明板３０の界面でレンズ筒１０の前面方向に反射してもレンズ筒１０の先端部分により遮蔽される。このように透明板３０の界面で反射する反射赤外線光の影響が排除されるので、全体として投光性能が向上しより鮮明な映像を得ることができる。
【００１２】
レンズ筒１０の近傍に可視光センサ５を内臓した赤外線遮蔽筒５０を設置し、可視光センサ５の前面側に赤外線カットフィルタ５１を設置すると、被写体から反射する赤外線光は前記赤外線カットフィルタ５１によってカットされるので、反射赤外線光による可視光センサ５の誤作動が防止される。
【考案を実施するための最良の形態】
【００１３】
第１実施形態
図１は本考案に係る赤外線発光手段内臓カメラの第１実施形態を示す部分縦断面図であり、図２は図１のカメラの透明板を取り除いた状態の正面図である。
なお、以下の実施形態のカメラの基本的な構成及び作用は、図４及び図５で示した従来のカメラとほぼ同じであるので、その同一部分については図４及び図５と同一の符号を付してそれらの詳細な説明を省略する。
【００１４】
有底円筒状のケース３の中央部には、レンズ筒１０を撮像領域に向けたカメラユニット１が設置されている。
カメラユニット１の基部の外周部に設置された基板２０には、外周部寄り位置に多数の赤外線ＬＥＤからなる赤外線光の発光手段２が取り付けられ、内周部寄り位置には、レンズ筒１０の先端部分と発光手段２との間で赤外線光を遮蔽するための遮蔽筒４が取り付けられている。この遮蔽筒４は、例えばアルミ又はアルミ合金等の赤外線遮蔽部材であって硬い材質のものであるのが好ましい。
【００１５】
符号３０は、防水ないし防湿のために発光手段２の前方を塞ぐガラス板その他のリング状の透明板であり、この透明板３０の外周縁はケース３の先端方向の内周部に密接し、当該透明板３０の内周縁は遮蔽筒４の先端方向の外周部に密接している。このように、透明板３０の内周縁は遮蔽筒４の先端方向外周部に密接しているので、遮蔽筒４の先端は、透明板３０の前面と同レベル（ケース３の左右方向の位置、以下同じ）かまたは図１のように透明板３０の前面からやや突出している。
遮蔽筒４の先端方向内部には、防水ないし防湿のためレンズ筒１０の前方を塞ぐようにガラス板等の他の透明板３１が密に取り付けられている。この実施形態では、透明板３１と前記透明板３０とほぼ同レベルに位置しているが、両者はずれた位置にあっても差し支えない。透明板３１は不可欠の部材ではなく、レンズ筒１０内の防水ないし防湿の必要がない場合には不用であり、また、当該透明板３１はレンズ筒１０の先端部に取り付けられていても差し支えない。
【００１６】
基板２０には撮像領域に向けてゴム等の赤外線遮蔽筒５０が取り付けられ、その内部には、ＣＤＳセルからなる可視光センサ５と、この可視光センサ５の前方を塞ぐ状態の赤外線カットフィルタ５１とが取り付けられている。赤外線カットフィルタ５１は、図示しないガラス等の透明板からなるベース板の面に定着した状態で取り付けてある。
【００１７】
前記実施形態の赤外線発光手段内臓カメラによれば、発光手段２の前方を塞ぐ透明板３０は、内周縁が遮蔽筒４の外周部へ接触しているので、発光手段２から撮像領域へ発光される赤外線光は、その一部が遮蔽筒４の先端部近傍において透明板３０の界面でレンズ筒１０の前面方向に反射しても、当該反射光は遮蔽筒４の先端によって遮られる。このように透明板３０の界面で反射する反射赤外線光の影響が排除されるので、投光性能は低下せずより鮮明な画像を得ることができる。
ちなみに、前記実施形態のカメラは図４の従来タイプのカメラと比べ投光性能が２倍に向上した。
【００１８】
被写体からの反射赤外線光は、可視光センサ５の前方を塞ぐ赤外線カットフィルタ５１によりカットされ、反射赤外線光に対して可視光センサ５が反応することはないのでその誤作動が防止される。
【００１９】
第２実施形態
図３は、本考案に係る赤外線発光手段内臓カメラの第２実施形態を示す部分断面図である。
この実施形態のカメラでは、図１のカメラのようにレンズ筒１０と発光手段２との間で赤外線光を遮蔽する遮蔽筒４を設置せず、赤外線光の発光手段２の前方を塞ぐ透明板３０は、その外周部がケース３の先端部内周部に密接し、その内周部がレンズ筒１０の先端部外周部に接触するように取り付けられている。
レンズ筒１０内を防水ないし防湿する必要がある場合には、レンズ筒１０の先端部に透明板を蜜に取り付ける。
他の構成は第１実施形態のカメラと同様に構成されている。
【００２０】
第２実施形態の赤外線発光手段内臓カメラによれば、発光手段２の前方を塞ぐ透明板３０は、内周縁がレンズ筒１０の外周部へ接触しているので、発光手段２から撮像領域へ発光される赤外線光は、その一部がレンズ筒１０の先端部近傍において透明板３０の界面でレンズ筒１０の前面方向に反射しても、当該反射光はレンズ筒１０の先端によって遮られる。このように透明板３０の界面で反射する反射赤外線光の影響が排除されるので、投光性能は低下せずより鮮明な画像を得ることができる。
【図面の簡単な説明】
【００２１】
【図１】本考案に係る赤外線発光手段内臓カメラの第１実施形態を示す部分縦断面図である。
【図２】図１のカメラの透明板を取り除いた状態の正面図である。
【図３】本考案に係る赤外線発光手段内臓カメラの第２実施形態を示す部分縦断面図である。
【図４】従来の赤外線発光手段内臓カメラの一形態を示す部分縦断面図である。
【図５】図４のカメラの透明版を取り除いた状態の正面図である。
【符号の説明】
【００２２】
１  カメラユニット
１０  レンズ筒
２  発光手段
２０  基板
３  ケース
３０，３１，３２  透明板
４  遮蔽筒
５  可視光センサ
５０  赤外線遮蔽筒
５１  赤外線カットフィルタ
【図１】
0003103990.tif 000003
【図２】
0003103990.tif 000004
【図３】
0003103990.tif 000005
【図４】
0003103990.tif 000006
【図５】
0003103990.tif 000007